(57)【要約】【課題】水の入った容器でも、負担なく、簡単に設置することができる水供給装置を提供する。【解決手段】水供給装置１０は、水の入った容器２３を配置する配置部２４と、この容器２３から供給される水を貯蔵する第１の貯蔵部１２および第２の貯蔵部１３と、貯蔵された水を冷却する冷却部１６および加温する加温部２０とを有している。配置部２４は、第１の貯蔵部１２および第２の貯蔵部１３よりも低い位置に設けられており、また、容器２３の内部の水を第１の貯蔵部１２および第２の貯蔵部１３に汲み上げる水汲み上げ部２６が設けられている。【選択図】図１
0003161411.tif 000002
【実用新案登録請求の範囲】
【請求項１】
水の入った容器を配置することにより、水を供給することが可能な水供給装置であって、
前記容器を配置する配置部と、前記容器から供給される水を貯蔵する貯蔵部と、この貯蔵部に蓄えられる水を冷却する冷却部または加温する加温部とを有し、
前記配置部は、前記貯蔵部よりも低い位置に設けられると共に、前記容器内の水を貯蔵部に汲み上げる水汲み上げ部が設けられた
ことを特徴とする水供給装置。
【請求項２】
前記配置部は、移動可能であることを特徴とする請求項１に記載の水供給装置。
【考案の詳細な説明】
【技術分野】
【０００１】
本考案は、水の入った容器を配置することにより、水を供給することが可能な水供給装置に関する。
【背景技術】
【０００２】
従来より、水を供給する水供給装置としては、例えば、水の入った容器を取り付け、この容器から供給される水を冷却あるいは加温することにより、冷水あるいは温水を提供するものが知られている（例えば、特許文献１参照）。
【０００３】
このような水供給装置を利用する利用者には、定期的に容器に入った水を配送することにより、清潔な水が供給されている。
【先行技術文献】
【特許文献】
【０００４】
【特許文献１】特開２００９−１９６６５０号公報
【考案の概要】
【考案が解決しようとする課題】
【０００５】
しかしながら、このような水供給装置では、水の入った容器を設置する位置が上部であり、しかも、容器の口先を下方に向けて設置しなけれならず、特に、水の入った容器は、１０ｋｇ以上あるので、負担となっていた。
【０００６】
本考案は、このような問題に基づきなされたものであり、水の入った容器でも、負担なく、簡単に設置することができる水供給装置を提供することを目的とする。
【課題を解決するための手段】
【０００７】
本考案の水供給装置は、水の入った容器を配置することにより、水を供給することが可能なものであって、容器を配置する配置部と、容器から供給される水を貯蔵する貯蔵部と、この貯蔵部に蓄えられる水を冷却する冷却部または加温する加温部とを有し、配置部は、貯蔵部よりも低い位置に設けられると共に、容器内の水を貯蔵部に汲み上げる水汲み上げ部が設けられたものである。
【０００８】
この水供給装置では、容器内の水が、水汲み上げ部により汲み上げられて貯蔵部に貯蔵された後、冷却部あるいは加温部により冷却あるいは加温され、利用者に提供される。その際、配置部が貯蔵部よりも低い位置に設けられているので、水の入った容器が負担なく、簡単に設置される。
【考案の効果】
【０００９】
本考案の水供給装置によれば、配置部を貯蔵部よりも低い位置に設けると共に、水を貯蔵部に汲み上げる汲み上げ部を設けるようにしたので、水の入った容器でも、負担なく、簡単に設置することができる。
【００１０】
特に、配置部を移動可能とするようにすれば、水の入った容器でも、より負担なく、簡単に設置することができる。
【図面の簡単な説明】
【００１１】
【図１】本考案の一実施の形態に係る水供給装置の構成を表す内部構成図である。
【図２】図１に示した水供給装置の下部の構成を表す図である。
【図３】変形例を表す構成図である。
【考案を実施するための形態】
【００１２】
以下、本考案の実施の形態について、図面を参照して詳細に説明する。
【００１３】
図１は、本考案の一実施の形態に係る水供給装置１０の内部構成を表すものであり、図２は、図１に示した水供給装置１０の下部の構造を表すものである。この水供給装置１０は、例えば、筐体１１と、この筐体１１の内部に設けられた第１の貯蔵部１２および第２の貯蔵部１３とを有している。第１の貯蔵部１２および第２の貯蔵部１３は、水を貯蔵する貯蔵部であり、第２の貯蔵部１３は、例えば、第１の貯蔵部１２の下方に位置している。
【００１４】
第１の貯蔵部１２の内部には、水受板１４が設けられており、第１の貯蔵部１２を上部と下部とに仕切っている。水受板１２よりも上部であり、かつ、第１の貯蔵部１２の側面には、第１の貯蔵部１２の内部に水を供給するための第１の水供給管１５が配設されている。また、第１の貯蔵部１２の上部には、例えば、空気口１１ａが設けられている。水受板１２よりも下部であり、かつ、第１の貯蔵部１２の側面には、例えば、蒸発器，圧縮器，乾燥器，凝縮器および冷媒管よりなる冷却部１６が設置されている。第１の貯蔵部１２の下部には、冷却水を供給する冷却水供給管１７が、筐体１１の外部に向かって設けられており、開閉弁１８により、開閉できるようになっている。第１の貯蔵部１２には、内部の冷却水の温度を検出する温度センサ（図示せず）が設けられていると共に、検出された温度に基づき冷却水の温度を制御するために冷却部１６に指令を出す指令部（図示せず）が設けられている。
【００１５】
水受部１４には、開口部１９ａを有する連通管１９が、第１の貯蔵部１２を貫通して第２の貯蔵部１３の内部に向かって形成されている。第２の貯蔵部１３の側面には、水を加熱するためのヒータなどの加温部２０が設けられている。また、第２の貯蔵部１３の上部には、温水を供給する温水供給管２１が、筐体１１の外部に向かって設けられており、開閉弁２２により、開閉できるようになっている。第２の貯蔵部１３には、内部の温水の温度を検出する温度センサ（図示せず）が設けられていると共に、検出された温度に基づき温水の温度を制御するためにヒータ２０に指令を出す指令部（図示せず）が設けられている。
【００１６】
筐体１１の下部であって、第２の貯蔵部１３よりも下方には、水の入った容器２３を配置する配置部２４が設けられている。筐体１１には、扉１１ｂが設けられ、容器２３を出し入れすることができるようになっている。配置部２４は、例えば、四角形の板状に形成されており、配置部２４の底部には、キャスター２４ａなどの移動部材が設けられ、移動可能とされていることが好ましい。容器２３を配置したまま筐体１１に対して着脱することができ、重量のある容器２３を持ち上げたり、運んだりする労力が小さくなるからである。キャスター２４ａは、例えば、３個設けられ、筐体１１に挿入する側を頂点とする三角形状に配置されている。筐体１１の下部には、例えば、配置部２４の移動を案内するためのガイド部１１ｃがキャスター２４ａの配置形状に合わせて設けられている。例えば、ガイド部１１ｃには、キャスター２４ａが配置された三角形状に対応する傾斜部１１ｄが設けられ、挿入側の頂点に位置するキャスター２４ａを所定の配置位置まで案内するようになっていることが好ましい。また、配置部２４には、所定の配置位置に到達したときに、傾斜部１１ｄに当接して位置を安定させる当接部２４ｂが設けられていることが好ましい。
【００１７】
容器２３の供給口２３ａには、栓２３ｂがされており、栓２３ｂの上方から、容器２３の内部に向かって、吸水管２３ｃが形成されている。
【００１８】
供給口２３ａは、また、継ぎ手２５により継続されるようになっている。この継ぎ手２５には、第２の水供給管２５ａが貫通して設けられており、その一端は吸水管２３ｃに連結され、他端は水を汲み上げるための水汲み上げ部２６を介して第１の供給管１５に連結されている。水汲み上げ部２６としては、例えば、ポンプがある。なお、第１の貯蔵部１２あるいは第２の貯蔵部１３には、内部の水位が分かるように、センサなどを設け（図示せず）、その水位に基づき、水汲み上げ部２６により、手動で水を汲み上げるようにしてもよいし、自動で水を汲み上げるようにしてもよい。
【００１９】
継ぎ手２５には、また、この継ぎ手２５を移動させることにより、供給口２３ａと継ぎ手２５とを継続したり離したりするためのレバー２７が支点部材２８を支点として取り付けられており、レバー２７の一端は、筐体１１の外部に突出して設けられている。なお、第２の水供給管２５ａの一部は、螺旋を形成し、伸縮するようになっていることが好ましい。第２の水供給管２５ａの伸縮により、レバー２７による継ぎ手２５の移動が容易になるからである。
【００２０】
この水供給装置１０では、まず、水の入った容器２３を配置部２４に設置して、筐体１１に設置する。次に、レバー２７を移動することにより、継ぎ手２５を容器２３の供給口２３ａに結合する。次いで、水汲み上げ部２６により、水を汲み上げると、容器２３の水が、吸水管２３ｃ，第２の水供給管２５ａおよび第１の水供給管１５を通って第１の貯蔵部１５に到達する。続いて、第１の貯蔵部１５の水位が上がり、水受板１４の高さを超えると、開口部１９ａから連通管１９を通じて第２の貯蔵部１３の内部に水が入る。また、第２の貯蔵部１３には、第１の水供給管１５から供給された水が、直接水受板１４の開口部１９ａから連通管１９を通じて供給される。続いて、第１の貯蔵部１２の水は、冷却部１６により冷却されて、冷却水供給管１７を通じて冷却水が供給されると共に、第２の貯蔵部１３の水は、加温部２０により加温されて、温水供給管２１を通じて温水が供給される。第１の貯蔵部１２あるいは第２の貯蔵部１３の水が減ると、汲み上げ部２６により、容器２３から水が供給される。その後、容器２３の水が無くなると、レバー２７を移動することにより、継ぎ手２５を容器２３の供給口２３ａからはずし、新たに水の入った容器２３を設置する。この水供給装置１０では、配置部２４が第１の貯蔵部１２および第２の貯蔵部１３よりも低い位置に設けられているので、水の入った容器２３が負担なく、簡単に設置される。
【００２１】
このように本実施の形態の配置部２４を第１の貯蔵部１２および第２の貯蔵部１３よりも低い位置に設けると共に、水を第１の貯蔵部１２に汲み上げる汲み上げ部２６を設けるようにしたので、水の入った容器２３でも、負担なく、簡単に設置することができる。
【００２２】
特に、配置部２４にキャスター２４ａなどの移動部材を設け、移動可能とするようにすれば、水の入った容器２３を、より負担なく、簡単に設置することができる
【００２３】
以上、実施の形態を挙げて本考案を説明したが、本考案は上記実施の形態に限定されるものではなく、種々変形可能である。例えば、上記実施の形態では、水の入った容器２３を第１の貯蔵部１２および第２の貯蔵部１３よりも低い位置に配置する場合について説明したが、このような場合に加えて、例えば図３に示したように、筐体１１の上部に容器１２３を配置して、第１の貯蔵部１２に水を供給するようにしてもよい。
【００２４】
また、上記実施の形態では、貯蔵部として第１の貯蔵部１２および第２の貯蔵部１３を備えると共に、冷却部１６および加温部２０を備える場合について説明したが、１つの貯蔵部のみを備え、冷却または加温するようにしてもよい。
【産業上の利用可能性】
【００２５】
宅配などにより運ばれてきた水を冷却してり加温したりして、利用することができる。
【符号の説明】
【００２６】
１０…水供給装置、１１…筐体、１１ａ…空気口、１１ｂ…扉、１１ｃ…ガイド部、１１ｄ…傾斜部、１２…第１の貯蔵部、１３…第２の貯蔵部、１４…水受板、１５…第１の水供給管、１６…冷却部、１７…冷却水供給管、１８…開閉弁、１９…連通管、１９ａ…開口部、２０…加温部、２１…温水供給管、２２…開閉弁、２３…容器、２３ａ…供給口、２３ｂ…栓、２３ｃ…吸水管、２４…配置部、２４ａ…キャスター、２５…継ぎ手、２５ａ…第２の水供給管、２６…水汲み上げ部、２７…レバー、２８…支点部材、１２３…容器
【図１】
0003161411.tif 000003
【図２】
0003161411.tif 000004
【図３】
0003161411.tif 000005